(57)【要約】  本発明は、異種内容物混合容器に関することで、本発明による異種内容物混合容器は、回転キャップを回転する動作によって密閉部材が下方向へ移動して、保管室に収容された第２内容物が容器本体に収容された第１内容物と混合されるように構成されることで、簡単な操作により、第１，２内容物を混合することが可能なので、使用者に便宜を提供できることが特徴である。【選択図】図１
2016507432.tif 000002
【特許請求の範囲】
【請求項１】
第１内容物が収容される容器本体と；
前記容器本体の上部を覆って結合され、第２内容物が貯蔵される空間を形成する保管室が具備され、内周面を取り囲んで対応される一対の屈曲部が突出形成される内キャップと；
前記容器本体の上部で前記内キャップを覆って回転できるように結合される回転キャップと；
前記内キャップの保管室下端を閉鎖し、前記回転キャップの回転によって下降する密閉部材と；
前記回転キャップの内部で、回転キャップの内側と噛み合うように形成され、回転キャップの回転によって一緒に回転し、ポンピング部材が結合されるポンプ結合管および前記ポンプ結合管を取り囲んで形成され、前記内キャップの上端に安着される安着板を含むポンプ支持体と；
前記密閉部材の上部に結合され、前記ポンプ支持体と噛み合って一緒に回転し、前記一対の屈曲部の下端にそれぞれ当接する一対の下降ガイド突起が具備され、回転により屈曲部に沿って移動し、前記密閉部材を下降させる加圧部材と；
前記ポンプ支持体に結合され、ポンピング作用によって内容物を排出させるポンピング部材と；および
前記ポンピング部材の上部に結合されてポンピング部材を作動させ、内容物が排出されるように排出ホールが形成されるボタン部材と；を含むことを特徴とする異種内容物混合容器。
【請求項２】
前記ポンプ支持体の安着板外周面には、前記回転キャップと噛み合うように結合溝が形成され、前記回転キャップの内周面には、前記結合溝に結合される結合突起が形成されることを特徴とする請求項１に記載の異種内容物混合容器。
【請求項３】
前記内キャップの外周面には、前記回転キャップの回転範囲を限定するように対向される一対の回転制限溝が形成され、前記回転キャップの内周面には、前記回転制限溝内で移動する回転制限突起が形成されることを特徴とする請求項１に記載の異種内容物混合容器。
【請求項４】
前記回転制限溝には、回転キャップが一方へ回転した状態で、他方へ回転することを防止するように、逆回転防止突起が形成されることを特徴とする請求項３に記載の異種内容物混合容器。
【請求項５】
前記逆回転防止突起は、一方は、緩やかな曲面を形成し、他方は垂直面を形成することを特徴とする請求項４に記載の異種内容物混合容器。
【請求項６】
前記加圧部材の内周面両側には、長さ方向に沿って垂直ガイド溝が形成され、前記ポンプ結合管の外周面両側には、前記垂直ガイド溝に結合されて加圧部材の垂直移動をガイドする垂直ガイド突起が形成されることを特徴とする請求項１に記載の異種内容物混合容器。
【発明の詳細な説明】
【技術分野】
【０００１】
本発明は、異種内容物混合容器に関することで、より詳細には、回転キャップを回転する動作によって密閉部材が下方向に移動し、保管室に収容された第２内容物が容器本体に収容された第１内容物と混合されるように構成されることで、簡単な操作により、第１，２内容物を混合することが可能なので、使用者に便宜を提供できる異種内容物混合容器に関することである。
【背景技術】
【０００２】
一般的に流通および使用されている容器は、大部分一つの容器に一種類の内容物を保管及び使用するようになっている。
【０００３】
最近、内容物の特性を向上させる為、液状成分の内容物に粉末成分の内容物を混合したり、異種の液状内容物を混合して使用する場合が増えており、この場合、異種の内容物をそれぞれ保管する容器が別途に具備される必要があるので、これらを混合して使用する場合、２つの容器を取り扱わなければならない複雑な問題があった。
【０００４】
また、二つの内容物の別途包装および容器制作による資源の浪費などの問題点が惹起されることは勿論、定量の混合ではないユーザーの任意的混合が行われるしかなく不完全であり、飲食物の混合においては味の変化および変質など、化学的変化と薬品、および化学的物品の混合においては物質効能の不完全な溶解など、物理的変化作用などの多様な問題点があった。
【０００５】
これらの問題点を解決するために、ひとつの容器内に異種の内容物をそれぞれ保管して、使用時の異種内容物を混合して使用することができる多様な容器が開発されている。
【０００６】
以下では、本出願人が先出願して登録された（特許文献１）“異種内容物混合容器”について説明する。
【０００７】
前記（特許文献１）は、内容物が保管される保管室（１１０）が具備され、前記保管室（１１０）の内部には、ピストン（１２０）が設置されるハウジング（１００）；と、前記ハウジング（１００）の上端に結合され、前記保管室（１１０）の内側に向かって係止部（２１０）が突出形成され、上部には上側へ延長形成のガイド片（２２０）が形成されるガイドブラケット（２００）；と、前記ガイド片（２２０）と挟まれて動作し、ユーザーの操作によって吐出口（３１０）へ内容物が吐出されるようにポンピング部材（３２０）が具備されるボタン部（３００）；と、前記ガイドブラケット（２００）とボタン部（３００）との間に選択的に離脱するよう設置される密閉リング（４００）；と、内部には、前記保管室  （１１０）に保管された内容物と異なる内容物が保管状態で、前記ボタン部（３００）に設置され、下段は、前記係止部（２１０）によって支持される収容部材（５１０）：と、この収容部材（５１０）の下部を選択的に密閉して、前記ポンピング部材（５１０）の下部と結合され、前記ポンピング部材（５１０）のポンピング時、前記ポンピング部材（５１０）と保管室（１１０）が繋がるよう連通ホール（５２１）が具備された密閉部材（５２０）：を有する保管桶（５００）；が含まれることを特徴とする。
【０００８】
（特許文献１）は、密閉リング（４００）を除去した後、ボタン部（３００）を下方向へ加圧時にポンピング部材（３２０）によって密閉部材（５２０）が下方向へ移動され、収容部材（５１０）の下端を開放することとなり、それによって、収容部材（５１０）の内部に保管の内容物が保管室（１１０）に流入され、異種の内容物の混合が行われるよう構成となる。
【０００９】
しかし、（特許文献１）は密閉リング（４００）を除去時、密閉リング（４００）の残余物が存在することもあり、見た目上良くないだけでなく、密閉リング（４００）を除去した後、ボタン部（３００）を下方向へ加圧すればこそ、密閉部材（５２０）が下方向へ移動して、異種の内容物の混合が行われることで、ユーザーに不便さをもたらすようになる問題点があった。
【先行技術文献】
【特許文献】
【００１０】
【特許文献１】登録特許第１０−１１９２６０３号
【発明の概要】
【発明が解決しようとする課題】
【００１１】
本発明は、上述した問題点を解決しようと案出されたもので、本発明の目的は、回転キャップを回転する動作によって密閉部材が下方向に移動して、保管室に収容された第２内容物が容器本体に収容された第１内容物との混合するよう構成となることで、簡単な操作により、第１，２内容物を混合することが可能であり、使用者に便宜を提供する異種内容物混合容器である。
【課題を解決するための手段】
【００１２】
前記のような問題点を解決する為、本発明に係る異種内容物混合容器は、第１内容物が収容される容器本体と；前記容器本体の上部を覆って結合され、第２内容物が貯蔵される空間を形成する保管室が具備され、内周面を取り囲んで対応する一対の屈曲部が突出形成される内キャップと；前記容器本体の上部から前記内キャップを覆って回転できるように結合される回転キャップと；前記内キャップの保管室下端を閉鎖し、前記回転キャップの回転によって下降する密閉部材と；前記回転キャップの内部で回転キャップの内側と噛み合うように形成され、回転キャップの回転によって一緒に回転し、ポンピング部材が結合されるポンプ結合管および前記ポンプ結合管を取り囲んで形成され、前記内キャップの上端に取り付ける安着板のポンプ支持体と；前記密閉部材の上部に結合され、前記ポンプ支持体と噛み合って一緒に回転し、前記一対の屈曲部の下端にそれぞれ当接する一対の下降ガイド突起が具備されて回転により屈曲部に沿って移動し、前記密閉部材を下降させる加圧部材と；前記ポンプ支持体に結合され、ポンピング作用によって内容物を排出させるポンピング部材と；および前記ポンピング部材の上部に結合されてポンピング部材を作動させ、内容物が吐き出されるように排出ホールが形成されるボタン部材と；を含むことを特徴とする。
【００１３】
また、前記ポンプ支持体の安着板外周面には、前記回転キャップと噛み合うように結合溝が形成され、前記回転キャップの内周面には、前記結合溝に結合される結合突起の形成されることを特徴とする。
【００１４】
また、前記内キャップの外周面には、前記回転キャップの回転範囲を限定するように対向する一対の回転制限溝が形成され、前記回転キャップの内周面には、前記回転制限溝内で移動する回転制限突起が形成されることを特徴とする。
【００１５】
また、前記回転制限溝には、回転キャップが一方へ回転した状態で、他方へ回転することを防止するように逆回転防止突起が形成されることを特徴とする。
【００１６】
また、前記逆回転防止突起は、一方は、緩やかな曲面を形成し、他方は垂直面を形成することを特徴とする。
【００１７】
また、前記加圧部材の内周面の両側には、長さ方向に沿って垂直ガイド溝が形成され、前記ポンプ結合管の外周面の両側には、前記垂直ガイド溝に結合されて加圧部材の垂直移動をガイドする垂直ガイド突起が形成されることを特徴とする。
【発明の効果】
【００１８】
以上、上述したように、本発明によれば、回転キャップを回転する動作によって密閉部材が下方向に移動して保管室に収容された第２内容物が容器本体に収容された第１内容物と混合されるように構成されることで、簡単な操作によって第１，２内容物を混合することが可能なので、使用者に便宜を提供できる長所がある。
【図面の簡単な説明】
【００１９】
【図１】本発明の好ましい実施例に係る異種内容物混合容器の構成を示す分解斜視図である。
【図２】本発明の好ましい実施例に係る異種内容物混合容器の構成を示す結合斜視図である。
【図３】本発明の好ましい実施例に係る異種内容物混合容器の構成を示す断面図である。
【図４】本発明の好ましい実施例に係る異種内容物混合容器のポンプ支持体と加圧部材の結合される状態を示す説明図である。
【図５】本発明の好ましい実施例に係る異種内容物混合容器の内キャップの屈曲部の形状を示す説明図である。
【図６】本発明の好ましい実施例に係る異種内容物混合容器の加圧部材の下降ガイド突起が内キャップの屈曲部に沿って下降する状態を示す説明図である。
【図７】本発明の好ましい実施例に係る異種内容物混合容器の回転キャップの回転制限突起が内キャップの回転制限溝内で移動する状態を示す説明図である。
【図８】本発明の好ましい実施例に係る異種内容物混合容器の第１，２内容物の混合過程を示す説明図である。
【図９】本発明の好ましい実施例に係る異種内容物混合容器の第１，２内容物の混合過程を示す説明図である。
【発明を実施するための形態】
【００２０】
以下、図面を参照して、本発明を詳細に説明することとする。各図面に提示された同一な参照符号は同一部材を示す。
【００２１】
図１は、本発明の好ましい実施例に係る異種内容物混合容器の構成を示す分解斜視図であり、図２は、本発明の好ましい実施例に係る異種内容物混合容器の構成を示す結合斜視図であり、図３は、本発明の好ましい実施例に係る異種内容物混合容器の構成を示す断面図である。
【００２２】
図４は、本発明の好ましい実施例に係る異種内容物混合容器のポンプ支持体と加圧部材の結合された状態を示す説明図であり、図５は、本発明の好ましい実施例に係る異種内容物混合容器の内キャップの折曲部の形状を示す説明図である。
【００２３】
図６は、本発明の好ましい実施例に係る異種内容物混合容器の加圧部材の下降ガイド突起が内キャップの屈曲部を沿って下降する状態を示す説明図であり、図７は、本発明の好ましい実施例に係る異種内容混合容器の回転キャップの回転制限突起が内キャップの回転制限溝内で移動する状態を示す説明図である。
【００２４】
図１〜７を参照すると、本発明の好ましい実施例に係る異種内容物混合容器は、容器本体（１００）、内キャップ（２００）、回転キャップ（３００）、密閉部材（４００）、ポンプ支持体（５００）、加圧部材  （６００）、ポンピング部材（７００）、ボタン部材（８００）が含まれる。
【００２５】
前記容器本体（１００）は、第１内容物が収容されることで、その内部には内容物の使用によって上昇するピストン（１１０）が具備される。
【００２６】
前記内キャップ（２００）は、前記容器本体（１００）の上部を覆って結合されることで、ポンプ支持体（５００）のポンプ結合管（５１０）が結合されることができるように中空が形成される。
【００２７】
本発明において、前記内キャップ（２００）の内部には、粉末または液状の第２内容物が貯蔵される保管室（２１０）の具備が特徴であり、前記保管室（２１０）は、第２内容物の充填ができるように、その下端部が開放形成され、内容物の充填が完了した後、充填完了の第２内容物が容器本体（１００）への流入遮断するように、開放された下端部が密閉部材（６００）によって閉鎖されるよう構成される。
【００２８】
前記保管室（２１０）に貯蔵された第２内容物は、密閉部材（６００）の下降時、保管室（２１０）の開放された下端部が密閉部材（６００）と離隔され、容器本体（１００）に落下して、第１内容物との混合が行われることとなる。
【００２９】
一方、前記内キャップ（２００）の内側には、内周面を取り囲んで対応する一対の屈曲部（２２０）が突出形成されることが特徴で、加圧部材（６００）の回転時に前記屈曲部（２２０）の下端が加圧部材（６００）の下降ガイド突起（６１０）を加圧することにより、加圧部材（６００）の下方向移動をガイドすることとなる。
【００３０】
一方、前記内キャップ（２００）の外周面には、回転キャップ（３００）の回転範囲の制限の為、対向する一対の回転制限溝（２３０）が形成されることが特徴で、前記回転制限溝（２３０）の先端部には、ユーザーが操作していない状態で、回転キャップ（３００）が片方向へ回転することを防止するように回転キャップ（３００）の回転制限突起（３１２）を支持する係止突起（２３１）が形成され、末端部には回転キャップ（３００）が一方へ回転した状態で、他方へ回転されることを防止するように逆回転防止突起（２３２）が形成される。
【００３１】
前記逆回転防止突起（２３２）は、一方は回転制限突起（３１２）が乗り越えるように、緩やかな曲面を形成し、他方は回転制限突起（３１２）の移動ができないように垂直面を形成するよう構成されることが好ましい。
【００３２】
前記回転キャップ（３００）は、前記容器本体（１００）の上部で前記内キャップ（２００）を覆って回転できるように結合されることで、ユーザーが回転キャップ（３００）の回転のために、手で把持可能な本体（３１０）と、前記本体（３１０）の上端中央部から上方向に延長形成され、ボタン部材（８００）が挿入されるボタン挿入部（３２０）で構成される。
【００３３】
前記本体（３１０）の内周面には、回転キャップ（３００）の回転時にポンプ支持体（５００）が一緒に回転することができるように、ポンプ支持体（５００）の結合溝（５２１）に結合するよう結合突起（３１１）が形成されることが好ましい。
【００３４】
本発明において、前記本体（３１０）の内周面には、前記回転制限溝（２３０）内で移動する回転制限突起（３１２）の形成されることが特徴で、前記回転制限突起（３１２）は、図７に図示されたように、回転制限溝（２３０）の先端部に位置した係止突起（２３１）によって支持された状態となり、回転キャップ（３００）が一方へ回転時に回転制限溝（２３０）に沿って移動し、逆回転防止突起（２３２）によって支持されるように構成される。
【００３５】
前記回転制限突起（３１２）は、逆回転防止突起（２３２）に支持された状態では、回転キャップ  （３００）の逆回転が行われないように逆回転防止突起（２３２）の他方垂直面に対応する形状の構成が好ましい。
【００３６】
一方、前記本体（３１０）の外周面には、回転方向を表示する回転表示部の形成が好ましい。
【００３７】
一方、前記回転キャップ（３００）の上部には、ボタン部材（８００）の誤作動を防止し、排出ホール（８１０）を通じて異物質の流入遮断するように、ボタン部材（８００）を覆う外キャップ（９００）が結合されることが好ましい。
【００３８】
前記密閉部材（４００）は、前記保管室（２１０）の開放された下端を閉鎖することで、前記保管室  （２１０）の下端内周面に密着され、保管室（２１０）の下端を閉鎖する密閉板（４１０）と、前記密閉板（４１０）の相当中央部から上方向へ延長形成され、前記加圧部材（６００）と押し込み結合される結合管（６２０）で構成される。
【００３９】
本発明において、前記密閉部材（４００）は、前記回転キャップ（３００）の回転時、内キャップ（２００）の回転によって下降する加圧部材（６００）の加圧により、下降されるように構成されることが特徴で、加圧部材（６００）の下降時に、加圧部材（６００）の段部（６３０）によって加圧されて下方向に移動するようになり、これによって、密閉板（４１０）が保管室（２１０）の開放された下端部と離隔されることで、保管室（２１０）に貯蔵された第２内容物が容器本体（１００）に自由落下され、第１内容物と第２内容物が混合されることを可能とする。
【００４０】
前記ポンプ支持体（５００）は、前記回転キャップ（３００）の内部で回転キャップ（３００）の内側と噛み合うように形成され、回転キャップ（３００）の回転によって回転することで、ポンピング部材（７００）が結合されるポンプ結合管（５１０）及び前記ポンプ結合管（５１０）を取り囲んで形成され、前記内キャップ（２００）の上端に安着される安着板（５２０）で構成される。
【００４１】
本発明において、前記ポンプ支持体（５００）の安着板（５２０）の外周面には、前記回転キャップ  （３００）の結合突起（３１１）が結合され、結合溝（５２１）が形成されるのが特徴で、前記結合突起  （３１１）との結合を通じて回転キャップ（３００）と噛み合って回転キャップ（３００）の回転と一緒に回転されるように構成される。
【００４２】
一方、前記ポンプ結合管（５１０）の外周面両側には、加圧部材（６００）の垂直ガイド溝（６２０）に結合され、加圧部材（６００）の垂直移動をガイドする垂直ガイド突起（５１１）が形成される。
【００４３】
前記加圧部材（６００）は、前記密閉部材（４００）の上部に結合されて回転キャップ（３００）の回転によって下降し、密閉部材（４００）を下方向に移動させることで、本発明において、前記加圧部材  （６００）の両側面には、前記一対の屈曲部（２２０）の下端にそれぞれ当接する一対の下降ガイド突起（６１０）が具備されることが特徴である。
【００４４】
前記下降ガイド突起（６１０）は、図６に示すように、加圧部材（６００）の回転時に前記屈曲部（２２０）の下端面に沿って移動するように構成され、回転により屈曲部（２２０）の上死点で下死点に移動することにより、加圧部材（６００）が下方に移動するようにガイドすることとなる。
【００４５】
一方、前記加圧部材（６００）は、前記ポンプ支持体（５００）と噛み合って、一緒に回転できるように、その内周面の両側に長さ方向に沿って垂直ガイド突起（５１１）が結合される垂直ガイド溝（６２０）が形成される。
【００４６】
前記ポンピング部材（７００）は、前記ポンプ支持体（５００）のポンプ結合管（５１０）に結合されてボタン部材（８００）の加圧によるポンピング作用によって内容物を排出させることで、本発明において、前記ポンピング部材（７００）は、公知技術なので詳細な説明は省略する。
【００４７】
前記ボタン部材（８００）は、前記ポンピング部材（７００）の上部に結合されてポンピング部材（７００）を作動させることで、ポンピング部材（７００）のポンピング作用を通じて上部へ移動する内容物が排出されることができるように一方に排出ホール（８１０）が形成される。
【００４８】
以下では、本発明の好ましい実施例に係る異種内容物混合容器の作動による第１，２内容物の混合プロセスを説明する。
【００４９】
まず、ユーザーが回転キャップ（３００）の本体（３１０）を把持した状態で、回転キャップ（３００）を片方向へ回転させると、回転キャップ（３００）と噛み合っているポンプ支持体（５００）の回転が行われるようになり、ポンプ支持体（５００）が回転することにより、ポンプ支持体（５００）と噛み合っている加圧部材（６００）が一緒に回転することとなる。
【００５０】
前記のように、加圧部材（６００）の回転が行われると、加圧部材（６００）の下降ガイド突起（６１０）が回転するようになり、この時、下降ガイド突起（６１０）が内キャップ（２００）の屈曲部（２２０）下端に沿って移動し、屈曲部（２２０）の上死点から下死点まで移動することにより、加圧部材（６００）を下方向へ移動させる。
【００５１】
前記のように、加圧部材（６００）が下降すると、加圧部材（６００）の段部（６３０）が結合管（４２０）の上端を加圧して密閉部材（４００）の下降が行われるようになり、これにより、保管室（２１０）の開放された下端を閉鎖していた密閉板（４１０）が保管室（２１０）の下端から離隔して保管室（２１０）の下端を開放することにより、保管室（２１０）に収容された第２内容物が容器本体（１００）へ落下して、第１内容物との混合が行われることとなる。
【００５２】
図面と明細書で最適の実施例が開示された。ここで特定の用語らが用いられたが、これは単に本発明を説明するための目的で用いられたことであり、意味の限定や特許請求の範囲に記載された本発明の範囲を制限するために用いられたのではない。従って、当該技術分野の通常の知識を持つ者であれば、多様な変形及び均等な他の実施例が可能であることを理解すべきである。したがって、本発明の真の技術的保護範囲は、添付した特許請求の範囲の技術的思想によって定められるべきである。
【図１】
2016507432.tif 000003
【図２】
2016507432.tif 000004
【図３】
2016507432.tif 000005
【図４】
2016507432.tif 000006
【図５】
2016507432.tif 000007
【図６（ａ）】
2016507432.tif 000008
【図６（ｂ）】
2016507432.tif 000009
【図６（ｃ）】
2016507432.tif 000010
【図７（ａ）】
2016507432.tif 000011
【図７（ｂ）】
2016507432.tif 000012
【図８】
2016507432.tif 000013
【図９】
2016507432.tif 000014
【国際調査報告】
2016507432.tif 000015
2016507432.tif 000016
2016507432.tif 000017
2016507432.tif 000018